【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光を用いて被検眼を撮影するための光学系と、
被検眼と対向する位置に配置される対物レンズの倍率の変更に応じて、前記光学系に含まれる調整部材の移動可能範囲の位置を変更する制御を行う制御手段と、
を有することを特徴とする眼科装置。
【請求項２】
測定光を照射した被検眼からの戻り光を用いて被検眼を撮影するための光学系と、
前記光学系における撮影に関する画角の変更に対応する倍率の変更に応じて、前記光学系に含まれる調整部材の移動可能範囲の位置を変更する制御を行う制御手段と、
を有することを特徴とする眼科装置。
【請求項３】
前記光学系は、
前記光源と前記対物レンズとの間に設けられ、前記被検眼に対する前記測定光のフォーカスを調整するフォーカス調整部材を含み構成されており、
前記制御手段は、前記倍率の変更に応じて、前記フォーカス調整部材の移動可能範囲の位置を変更する制御を行うことを特徴とする請求項１または２に記載の眼科装置。
【請求項４】
前記制御手段は、前記被検眼と対向する位置に配置される対物レンズが第１の対物レンズから当該第１の対物レンズよりも高倍率の第２の対物レンズに変更された場合、前記第１の対物レンズが配置された際の前記フォーカス調整部材の移動可能範囲の位置よりも、前記第２の対物レンズが配置された際の前記フォーカス調整部材の移動可能範囲の位置を前記対物レンズから離れる方向に変更することを特徴とする請求項３に記載の眼科装置。
【請求項５】
前記制御手段は、前記被検眼と対向する位置に配置される対物レンズが第１の対物レンズから当該第１の対物レンズよりも高倍率の第２の対物レンズに変更された場合、前記第１の対物レンズが配置された際の前記フォーカス調整部材の移動可能範囲の大きさよりも、前記第２の対物レンズが配置された際の前記フォーカス調整部材の移動可能範囲の大きさを大きくする変更を更に行うことを特徴とする請求項３または４に記載の眼科装置。
【請求項６】
前記制御手段は、前記移動可能範囲の範囲内に前記フォーカス調整部材の基準位置を設定し、
前記光学系は、前記被検眼の特定の視度に対して前記フォーカス調整部材の基準位置が変化しないように前記測定光の光路に設けられたフォーカス補正部材を更に含み構成されていることを特徴とする請求項３乃至５のいずれか１項に記載の眼科装置。
【請求項７】
前記光学系は、前記測定光の光路と参照光の光路とを含むＯＣＴ光学系であり、
前記参照光の光路長を調整する参照光調整部材を含み構成されており、
前記制御手段は、前記倍率の変更に応じて、前記参照光調整部材の移動可能範囲の位置を変更する制御を行うことを特徴とする請求項１乃至６のいずれか１項に記載の眼科装置。
【請求項８】
前記制御手段は、前記被検眼と対向する位置に配置される対物レンズが第１の対物レンズから当該第１の対物レンズよりも高倍率の第２の対物レンズに変更された場合、前記第１の対物レンズが配置された際の前記参照光調整部材の移動可能範囲の位置よりも、前記第２の対物レンズが配置された際の前記参照光調整部材の移動可能範囲の位置を前記対物レンズから離れる方向に変更することを特徴とする請求項７に記載の眼科装置。
【請求項９】
前記制御手段は、前記移動可能範囲の範囲内に前記参照光調整部材の基準位置を設定し、
前記被検眼と対向する位置に配置される対物レンズが変更された場合に、当該変更に伴う前記参照光調整部材の基準位置における変化量は、当該変更に伴う前記対物レンズと前記被検眼との距離における変化量よりも小さいことを特徴とする請求項７または８に記載の眼科装置。
【請求項１０】
前記制御手段は、前記被検眼と対向する位置に配置される対物レンズが第１の対物レンズから当該第１の対物レンズよりも高倍率の第２の対物レンズに変更された場合、前記第１の対物レンズが配置された際の前記参照光調整部材の基準位置よりも、前記第２の対物レンズが配置された際の前記参照光調整部材の基準位置を前記対物レンズから離れる方向に変更することを特徴とする請求項９に記載の眼科装置。
【請求項１１】
前記光学系を含む筐体が構成されており、
前記制御手段は、前記筐体の移動可能範囲の位置を変更する制御を行うことを特徴とする請求項１乃至１０のいずれか１項に記載の眼科装置。
【請求項１２】
前記制御手段は、前記被検眼と対向する位置に配置される対物レンズが第１の対物レンズから当該第１の対物レンズよりも高倍率の第２の対物レンズに変更された場合、前記第１の対物レンズが配置された際の前記筐体の移動可能範囲の位置よりも、前記第２の対物レンズが配置された際の前記筐体の移動可能範囲の位置を前記被検眼から離れる方向に変更することを特徴とする請求項１１に記載の眼科装置。
【請求項１３】
前記制御手段は、前記光学系の位置が前記移動可能範囲の範囲外に位置している場合、前記光学系を前記移動可能範囲の範囲内に移動させる制御を行うことを特徴とする請求項１乃至１２のいずれか１項に記載の眼科装置。
【請求項１４】
前記制御手段は、前記移動可能範囲の範囲内に前記光学系の基準位置を設定することを特徴とする請求項１乃至１３のいずれか１項に記載の眼科装置。
【請求項１５】
前記制御手段は、前記光学系の位置が前記移動可能範囲の範囲外に位置している場合、前記光学系を前記移動可能範囲の範囲内の前記基準位置に移動させる制御を行うことを特徴とする請求項１４に記載の眼科装置。
【請求項１６】
前記制御手段は、前記光学系の位置が前記移動可能範囲の範囲内に留まるように制御することを特徴とする請求項１３または１４に記載の眼科装置。
【請求項１７】
前記制御手段は、前記倍率の変更に伴うワーキングディスタンスの変更に対応する位置に、前記調整部材の移動可能範囲の位置を変更する制御を行うことを特徴とする請求項１乃至１６のいずれか１項に記載の眼科装置。
【請求項１８】
前記眼科装置は、
前記被検眼と対向する位置に配置される対物レンズとして倍率の異なる複数の対物レンズを交換可能に構成され、
前記被検眼と対向する位置に配置された前記対物レンズの倍率を取得する取得手段を更に有することを特徴とする請求項１乃至１７のいずれか１項に記載の眼科装置。
【請求項１９】
ＳＬＯ光源から発せられた照明光を走査手段によって前記被検眼において走査するＳＬＯ光学系と、
固視灯から発せられた固視光を前記走査手段によって前記被検眼において走査する固視標光学系と、
前記照明光を前記走査手段によって前記被検眼において走査するタイミングに応じて、前記固視灯の発光制御を行う固視標制御手段と、
を更に有し、
前記ＳＬＯ光学系および前記固視標光学系は、前記走査手段を含む一部の光学部材が共用されていることを特徴とする請求項１乃至１８のいずれか１項に記載の眼科装置。
【請求項２０】
測定光を照射した被検眼からの戻り光を用いて被検眼を撮影するための光学系を有する眼科装置の制御方法であって、
被検眼と対向する位置に配置される対物レンズの倍率の変更に応じて、前記光学系に含まれる調整部材の移動可能範囲の位置を変更する制御を行う制御ステップ
を有することを特徴とする眼科装置の制御方法。
【請求項２１】
測定光を照射した被検眼からの戻り光を用いて被検眼を撮影するための光学系を有する眼科装置の制御方法であって、
前記光学系における撮影に関する画角の変更に対応する倍率の変更に応じて、前記光学系に含まれる調整部材の移動可能範囲の位置を変更する制御を行う制御ステップ
を有することを特徴とする眼科装置の制御方法。
【請求項２２】
請求項２０または２１に記載の眼科装置の制御方法をコンピュータに実行させるプログラム。
【手続補正２】
【補正対象書類名】明細書
【補正対象項目名】０００７
【補正方法】変更
【補正の内容】
【０００７】
本発明の眼科装置の一つは、測定光を照射した被検眼からの戻り光を用いて被検眼を撮影するための光学系と、被検眼と対向する位置に配置される対物レンズの倍率の変更に応じて、前記光学系に含まれる調整部材の移動可能範囲の位置を変更する制御を行う制御手段と、を有する。
本発明の眼科装置の一つは、測定光を照射した被検眼からの戻り光を用いて被検眼を撮影するための光学系と、前記光学系における撮影に関する画角の変更に対応する倍率の変更に応じて、前記光学系に含まれる調整部材の移動可能範囲の位置を変更する制御を行う制御手段と、を有する。
また、本発明は、上述した眼科装置の制御方法、及び、当該制御方法をコンピュータに実行させるプログラムを含む。